(57)【要約】【課題】組電池の十分な冷却効果を維持しつつ、組電池の温度分布を均一に近づけることができる蓄電池用屋外盤を得ることを目的とする。【解決手段】鉛蓄電池を直列もしくは並列に接続し要求する容量を備えた組電池と、それら組電池を収納する蓄電池用屋外盤において、空調設備を屋外盤の上部に設置し、空調設備からの空気の吐出口を屋外盤の南側上部の幅一杯に位置させている。【選択図】図１
2015032624.tif 000002
【特許請求の範囲】
【請求項１】
蓄電池を直列もしくは並列に接続し要求する容量を備えた組電池を収納する蓄電池用屋外盤において、空調設備を屋外盤内の上部に設置し、空調設備からの空気の吐出口を、南側の側壁の上部の幅一杯に位置させたことを特徴とする蓄電池用屋外盤。
【請求項２】
空調設備を屋外盤の北側上部に設置し、空調設備からの空気を天井に沿って南側上部に移送する通風路を備えたことを特徴とする請求項１に記載の蓄電池用屋外盤。
【請求項３】
屋外盤の上部の吐出口と床との間にエアーカーテンを形成することを特徴とする請求項1又は２のいずれか一項に記載の蓄電池用屋外盤。
【請求項４】
天井に設置する通風路の幅が、組電池幅と同等かそれ以上であることを特徴とする請求項1乃至３のいずれか一項に記載の蓄電池用屋外盤。
【請求項５】
蓄電池用屋外盤に排気口をさらに設けることで、空調設備からの空気の噴出によって、盤内の空気が置換され、結露を防げることを特徴とする請求項1乃至４のいずれか一項に記載の蓄電池用屋外盤。
【請求項６】
空調設備が冷暖可能であり、暖房用として、空調設備からの空気の吐出口を屋外盤の北側上部の幅一杯に位置させたことを特徴とする請求項1乃至５のいずれか一項に記載の蓄電池用屋外盤。
【請求項７】
冷気又は暖気の風向変更位置に屋外盤幅と同一幅の偏向板を備えたことを特徴とする請求項１乃至６のいずれか一項に記載の蓄電池用屋外盤。
【請求項８】
一対の偏向板が上下に離間して設けられ、上下の前記偏向板は曲面に形成され、その曲率半径Ｒが互いに異なることを特徴とする請求項７に記載の蓄電池用屋外盤。
【請求項９】
上部の偏向板の曲率半径Ｒよりも下部の偏向板の曲率半径Ｒが大きいことを特徴とする請求項８に記載の蓄電池用屋外盤。
【発明の詳細な説明】
【技術分野】
【０００１】
本発明は、組電池を収納する蓄電池用屋外盤の温度調整技術に関する。
【背景技術】
【０００２】
蓄電池用屋外盤において、盤内の温度分布は蓄電池性能に影響を及ぼし、さらに一年を通じた温度変化は蓄電池寿命にとって大きなダメージとなる。そのため、空調設備を上部に設置し、上下左右のスイングを行って空調する屋外盤や、例えば特許文献１のように床面に空気の吐出口を設けて冷却する屋外盤があった。
【先行技術文献】
【特許文献】
【０００３】
【特許文献１】特開２００１−２３７５８０号公報
【発明の概要】
【発明が解決しようとする課題】
【０００４】
しかし、上部に設置された空調設備によって上下左右のスイングを行っても発熱する組電池を冷却するには限界があった。また、屋外盤の取付け位置の制約によってはほとんど効果が期待できない場合があり、太陽からの日射によって南側と天井部からの伝熱が大きく、室内が冷えにくいという問題があった。また、特許文献１の技術内容では組電池の上部と下部の温度差を考慮していないため、比較的低温の下部から冷却し、比較的高温の上部を熱交換された少し温まった冷却風で空冷するため、冷却効果が低いという問題があった。
そこで、本発明の目的は、上述した従来の技術が有する課題を解消し、冷却効果に優れた蓄電池用屋外盤を提供することにある。
【課題を解決するための手段】
【０００５】
上記目的を達成するため、本発明は、蓄電池を直列もしくは並列に接続し要求する容量を備えた組電池と、それら組電池を収納する蓄電池用屋外盤において、空調設備を屋外盤の上部に設置し、空調設備からの空気の吐出口を屋外盤の南側上部の幅一杯に位置させたことを特徴とする。
空調設備からの空気の吐出口が、屋外盤の南側上部の幅一杯に位置するため、吐出口からの空気は例えば南側の壁面に沿って吹き下ろされる。この屋外盤の南面は夏季に直射日光を受けて高温にさらされるが、冷却空気が南面に沿って吹き下ろされることで、屋外盤の南側の温度上昇が抑制される。また、蓄電池が比較的高温となる南側から冷却することが可能となり、更に、室外からの温度勾配が変化するため室外からの熱が伝わりにくくなる。
【０００６】
この場合において、空調設備を屋外盤の北側上部に設置し、空調設備からの空気を天井に沿って南側上部に移送する通風路を備えてもよい。
天井は夏季に直射日光を受けて高熱にさらされるが、冷却空気が通風路を通って南側に移送される過程で、冷却空気が天井を冷却するため、屋外盤の天井の温度上昇が抑制され、蓄電池が比較的高温の上部から冷却することが可能となる。
【０００７】
また、空調設備からの空気の吐出口が一つもしくは複数個に形成されてもよい。
また、屋外盤の上部の吐出口と床面との間にエアーカーテンを形成してもよい。
南側の扉もしくは壁面に沿って冷却風のエアーカーテンを形成することで、室外からの温度勾配が変化するため室外からの熱が伝わりにくくなる。
【０００８】
また、天井面に設置する通風路幅が、組電池幅と同等かそれ以上であってもよい。
この構成では、通風路幅を組電池幅と同等かそれ以上に設計することで、側部と上部からの伝熱を緩和することができる。
【０００９】
また、蓄電池用屋外盤に排気口をさらに設けることで、空調設備からの空気の噴出によって、盤内の空気が置換され、結露を防げる構成としてもよい。
この構成では、空気を排出する排気口を設けることで、室内の蒸気を置換することが可能となり、室内の結露を防止できる。
【００１０】
また、空調設備が冷暖可能であり、暖房用として、空調設備からの空気の吐出口を屋外盤の北側上部の幅一杯に位置させてもよい。
この構成では、暖房運転時には、日差しの熱が伝わりにくい北側に空調設備からの暖気を吐出口から導入することで、日差しによる南北の暖まりやすさの差分を補い、組電池の周囲の温度を均等に近づけることができる。これにより、鉛蓄電池の蓄電性能を良好に維持し、かつ、蓄電池の寿命が早まることを抑制できる。
【００１１】
また、冷気又は暖気の風向変更位置に屋外盤幅と同一幅の偏向板を備えてもよい。
この構成では、エアーカーテンの気流が乱されることが一層抑制され、エアーカーテンを形成したことによる冷却又は加熱効果をより確実に得られる。また、偏向板の幅を屋外盤幅と同一幅とすることにより、組電池の側面にも効率的に冷気を送り込むことが可能となる。
【００１２】
また、一対の偏向板が上下に離間して設けられ、上下部で偏向板は曲面に形成され、その曲率半径Ｒが互いに異なってもよい。
この構成では、気流の方向を円滑に変更することができる。
【００１３】
また、上部の偏向板の曲率半径Ｒよりも下部の偏向板の曲率半径Ｒが大きくてもよい。
この構成では、蓄電池用屋外盤の下方域に至った冷却空気を屋外盤内に拡散することができる。
【発明の効果】
【００１４】
本発明では、蓄電池用屋外盤において、空調設備を上部に設置し、吐出口を南側に一つもしくは複数個形成することによって、冷却風のエアーカーテンを形成し、室内の温度をほぼ一定に保つことが可能となり、組電池の上部と下部の温度差を小さくすることができる。したがって、従来の空調設備を上部に設置しただけの屋外盤よりも、冷却効率が上昇し、蓄電池性能を十分に発揮できる。
【図面の簡単な説明】
【００１５】
【図１】本発明の第１実施形態に係る蓄電池用屋外盤の東西方向に直交する断面図である。
【図２】蓄電池用屋外盤の平面透視図である。
【図３】吐出口の他の態様を示す平面透視図である。
【図４】比較例の蓄電池用屋外盤の東西方向に直交する断面図である。
【図５】冷却効果の確認試験における温度の測定ポイントを示す図である。
【図６】比較例の冷却効果の確認試験の結果を示す図である。
【図７】第１実施形態の冷却効果の確認試験の結果を示す図である。
【図８】本発明の第２実施形態に係る蓄電池用屋外盤の東西方向に直交する断面図である。
【図９】第２実施形態の冷却効果の確認試験の結果を示す図である。
【発明を実施するための形態】
【００１６】
以下、図面を参照して本発明の実施形態について説明する。
［第１実施形態］
図１は本発明の第１実施形態に係る蓄電池用屋外盤１の東西方向に直交する断面図である。図２は蓄電池用屋外盤１の平面透視図であり、天井ダクト２８を実線にて図示している。図１において、蓄電池用屋外盤１は、外形形状を直方体とし、前後方向を東西方向に一致させ、幅（左右）方向を南北方向に一致させて屋外に設けられている。一方、図２において、蓄電池用屋外盤１は、外形形状を直方体とし、前後方向を南北方向に一致させ、幅（左右）方向を東西方向に一致させて屋外に設けられている。
蓄電池用屋外盤１は、組電池３と、内部の空調を行う空調設備５と、組電池３の温度を測定する温度センサ７Ａ〜７Ｄと、温度センサ７Ａ〜７Ｄの出力に基づいて空調設備５を制御する制御盤９と、空調設備５からの空気の向きを変える偏向板１１，１２とを内部に備えている。
【００１７】
蓄電池用屋外盤１には、換気扇付の排気口１４が形成されている。この排気口１４は、後述のエアーカーテン４１，４５の気流を乱さない位置に形成している。排気口１４は、南側及び北側の側壁３１，４３を避け、東西方向に対面する側壁の少なくとも一方に形成されている。
なお、蓄電池用屋外盤１には、出入口（不図示）を開閉する扉（不図示）が側壁の一つに設けられている。
【００１８】
蓄電池用屋外盤１の内部に収納される組電池３は、例えば、複数の鉛蓄電池１３を、直列または並列に接続して構成されており、仕様で要求された容量を備えている。
この第１実施形態では、組電池３は、例えば、蓄電池用屋外盤１の床１７に、台座１５を介して設けられた２つのラック１９Ａ，１９Ｂにそれぞれ収納されている。２つのラック１９Ａ，１９Ｂは、同一形状であり、互いの背面を向き合わせ、前後方向を南北方向に一致させて台座１５に載置されている。なお、前述の排気口１４は、図１に示すように、ラック１９Ａ，１９Ｂの間の隙間５７の上方を避けた北よりに位置しており、隙間５７から上方に向かう空気が、直接排気口１４から排出されることはない。
ラック１９Ａ，１９Ｂは、高さ方向に分割された多段の収納スペースを有し、各段の収納スペースに、複数の鉛蓄電池１３がラック１９Ａ，１９Ｂの幅方向に配列されている。
【００１９】
また、蓄電池用屋外盤１の内部を空調する空調設備５は、冷媒管（不図示）を介して室外機（不図示）に接続される室内機である。空調設備５と室外機との間を循環する冷媒が、蓄電池用屋外盤１内の空気との間で熱交換することで、蓄電池用屋外盤１内の空調を行うようになっている。
空調設備５は、蓄電池用屋外盤１の天井２５のうち、北側の部位に設けられている。また、ダクト部材２７が天井２５との間に、空調設備５から南側に位置する蓄電池用屋外盤１の側壁３１まで延びる通風路３３を形成するように設けられている。即ち、ダクト部材２７及び天井２５からなる天井ダクト２８が、南北に延びる通風路３３を形成する。
通風路３３の南北方向の中間部の幅Ｗは、ラック１９Ａ，１９Ｂ（組電池３）の幅と同等以上である。このため、図２に示すように、上下方向から見て、組電池３は通風路３３に含まれるように配置されている。通風路３３の南側は、側壁３１に向かって、漸次幅広とされ、通風路３３の南側の端部は、蓄電池用屋外盤１の幅と略同じ幅を有している。
【００２０】
また、ダクト部材２７の南側の端部近傍、及び北側の端部近傍のそれぞれ、換言すれば、蓄電池用屋外盤１の南側及び北側の上部には、図２に示すように、下方に向けて開口する吐出口３５，３７が蓄電池用屋外盤１の幅一杯に設けられている。
また、各吐出口３５，３７のそれぞれには、吐出口３５，３７を開閉可能な開閉手段５１が設けられている。
以下、吐出口３５を開閉する開閉手段５１について説明する。
図１に示すように、開閉手段５１は、回動軸５３、回動軸５３に一体に回動する閉塞板５５、及びモータ（不図示）を備えている。
回動軸５３は、吐出口３５に隣接し、吐出口３５の幅方向に一致する軸まわりに回動自在に設けられている。回動軸５３は、吐出口３５の長手方向の全域に亘って延在している。回動軸５３は、前述の制御盤９により制御されるモータから回動力を伝達されて回動する。また、閉塞板５５は、回動軸５３の外周面に固定され、回動軸５３の正逆に回動させることにより、吐出口３５を開く開位置と、吐出口３５を閉塞する閉位置とを移動する。
なお、吐出口３７も同様に、開閉手段５１によって開閉することができる。
【００２１】
制御盤９は、ＣＰＵ（不図示）、ＣＰＵが演算する際の一時記憶領域として利用されるＲＡＭ（不図示）、及び各種プログラムが格納されたＲＯＭ（不図示）等を有している。制御盤９は、以下に説明する位置に設けられた温度センサ７Ａ〜７Ｄの出力に応じて、空調設備５に冷房運転を行わせるか暖房運転を行わせるかを決定し、決定した運転の種類に応じて吐出口３５，３７の開閉を制御する。
【００２２】
２つの温度センサ７Ａ，７Ｂがラック１９Ａに設けられ、２つの温度センサ７Ｃ，７Ｄがラック１９Ｂに設けられている。
温度センサ７Ａは、ラック１９Ａの最下段の収納スペースに収納された鉛蓄電池１３のうち、配列方向の中央付近に位置する鉛蓄電池１３の温度を測定する。また、温度センサ７Ｂは、ラック１９Ａの最上段の収納スペースに収納された鉛蓄電池１３のうち、配列方向の中央付近に位置する鉛蓄電池１３の温度を測定する。
温度センサ７Ｃ，７Ｄも、温度センサ７Ａ，７Ｂと同様に、ラック１９Ｂに設けられている。
このように、南側及び北側に並んで配置されるラック１９Ａ，１９Ｂのそれぞれにおいて、温度センサ７Ａ，７Ｂ又は温度センサ７Ｃ，７Ｄにより、上部に配置された鉛蓄電池１３と下部に配置された鉛蓄電池１３の温度を確認できる。
【００２３】
制御盤９は、冷房運転を行う場合には吐出口３５を開け、吐出口３７を閉じ、暖房運転を行う場合には、吐出口３５を閉じ、吐出口３７を開ける。
冷房運転時、吐出口３５から吐き出された空気は、図１中、上下方向に連なる実線の白抜きの矢印で示すように、蓄電池用屋外盤１の幅方向の略全域に亘り、南側の側壁３１に沿って下方に向かうエアーカーテン４１を形成する。
また、暖房運転時、吐出口３７から吐き出された空気は、上下方向に連なる破線の白抜き矢印で示すように、蓄電池用屋外盤１の幅方向の略全域に亘り、北側の側壁４３に沿って下方に向かうエアーカーテン４５を形成する。
なお、図１では、吐出口３５から吐き出された空気の進路を示す破線の白抜き矢印がラック１９Ａ，１９Ｂの下方には示されていないが、吐き出された空気は、この部分を通過して偏向板１２にまで及ぶ。また、北側の側壁４３から床１７に向かうように偏向板を設置した場合には、吐き出された空気をラック１９Ａ，１９Ｂの下方まで効率良く送り込むことができる。
なお、例えば、吐出口３５，３７は、以下の図３に示すように形成してもよい。
図３は吐出口の他の態様を示す平面透視図である。
図３において、複数の吐出口３９が、蓄電池用屋外盤１の幅方向に互いに隣接して配列されるように、ダクト部材２７に形成されている。吐出口３９の数は、各吐出口３９から下方に向けて吐出された空気が、蓄電池用屋外盤１の幅方向の略全域に亘る幅を有し、下方に向かうエアーカーテン４１，４５を形成するものであればよい。
【００２４】
次いで、冷房運転を行う場合について説明する。
制御盤９は、冷房運転を行う場合、前述したように、南側の吐出口３５を開け、吐出口３７を閉じ、空調設備５を作動させる。
空調設備５からの冷気は、ラック１９Ａ，１９Ｂの上部に位置する天井ダクト２８内を通り、南側の側壁３１の上部に移送される。
南側の側壁３１に到達した冷気は、吐出口３５から下方に向けて吐き出される。吐き出された冷気は、南側の側壁３１に沿ったエアーカーテン４１を形成する。エアーカーテン４１を形成する気流は、南側の鉛蓄電池１３と熱交換を行いながら南側の側壁３１に沿って進んで蓄電池用屋外盤１の床１７に到達し、蓄電池用屋外盤１内に広がり、その他の鉛蓄電池１３とも熱交換を行う。
【００２５】
図１に示すように、南側の側壁３１の温度と南側のラック１９Ａとの間の温度勾配は、エアーカーテン４１の部分で温度を下げる方向に大きな傾きで傾斜する。このため、側壁３１と、組電池３の南側の表面との間の温度差ΔＴが大きくなり、南側の側壁３１の熱は
、ラック１９Ａに収納された組電池３（鉛蓄電池１３）に伝わりにくくなる。従って、南側の側壁３１の温度が日差しにより上がっても、側壁３１の熱が、鉛蓄電池１３に影響を与えることを抑制できる。
また、各鉛蓄電池１３の熱は上方に伝熱されることになるが、上方から冷気を吹き下ろすことにより、組電池３の周囲温度について、上下方向の温度差が抑制される。
さらに、ラック１９Ａ，１９Ｂの上端と天井２５との間に冷気が流れる通風路３３が、天井ダクト２８によって形成されることから、天井２５の熱は、ラック１９Ａ，１９Ｂの組電池３に伝わりにくくなり、天井２５の熱が、鉛蓄電池１３に影響を与えることを抑制できる。これにより、蓄電池用屋外盤１内での鉛蓄電池１３の温度の均一化が図られる。
【００２６】
蓄電池用屋外盤１では、吐出口３５の手前と吐出口３５の下方に位置する床１７の部位で、気流の方向が変わる。
上述の偏向板１１，１２は、吐出口３５の手前と吐出口３５の下方に位置する床１７の部位に、気流の方向を円滑に変更すべく上下一対に設けられている。これにより、エアーカーテン４１の気流が乱されることが一層抑制され、エアーカーテン４１を形成したことによる冷却効果をより確実に得られる。
上下の偏向板１１，１２は曲面に形成され、その曲率半径Ｒは異なっている。より詳しくは、上側の偏向板１１は、下側の偏向板１２よりも、曲率半径Ｒが大きくなっている。
上側の偏向板１１は、ダクト内で風向を変更するため、ダクトの大きさに応じた曲率半径Ｒが採用され、下側の偏向板１２は、蓄電池用屋外盤１の下方域に至った冷却空気が蓄電池用屋外盤１内に拡散されるように、曲率半径Ｒが大きくなっている。
【００２７】
また、偏向板１２に案内された気流が到達する台座１５は、断面扁平矩形の筒状をなし、開口を南北に向けて配置されている。台座１５内には、南北に延びる通風路１５Ａが形成されており、台座１５に到達した気流は、図１に示すように、ラック１９Ａ，１９Ｂの下方を通過する。
また、台座１５の上面には、２つのラック１９Ａ，１９Ｂ間の隙間５７に対応する位置に開口が形成されており、台座１５内に侵入した気流の一部は、ラック１９Ａ，１９Ｂ間の隙間５７を通って上方に向かい、残りが、床１７に沿って北側の側壁４３に向かう。
組電池３を搭載する台座１５の内部に冷気を通し、空調設備５の真下まで冷気を送り込むことが可能になり、蓄電池用屋外盤１の内部全体の冷却効果のアップが期待できる。
また、冷気を分岐させて、ラック１９Ａ，１９Ｂ間の隙間５７に向かわせるので、ラック１９Ａ，１９Ｂの背面側に位置する鉛蓄電池１３の部位も冷却できる。
【００２８】
次いで、暖房運転を行う場合について説明する。
制御盤９は、蓄電池用屋外盤１内の温度が低く、暖房運転を行う場合、北側の吐出口３７を開状態とし、南側の吐出口３５を閉状態とするように、開閉手段５１の制御を行う。
空調設備５からの暖気は、北側の側壁４３に沿って吹き下ろされ、北側のラック１９Ｂの北側に、エアーカーテン４５を形成する。
北側の側壁４３の温度と北側のラック１９Ｂとの間の温度勾配は、エアーカーテン４５の部分で温度を上げる方向に大きな傾きで傾斜する。このため、低温となる北側の側壁４３側に、ラック１９Ｂに収納された鉛蓄電池１３の熱が奪われにくくなる。これにより、南北の側壁３１，４３に温度差が生じても、ラック１９Ａ，１９Ｂの鉛蓄電池１３に影響を与えることを抑制できる。
また、図１中には示していないが、空調設備５からの空気の向きを変えるために冷房運転用に形成された上下の偏向板１１，１２に対し、暖房運転用に北側の側壁４３から床１７に向かうように偏向板を形成してもよい。このときに、偏向板の幅を屋外盤幅と同一幅とすることにより、組電池の側面にも効率的に暖気を送り込むことが可能となる。
【００２９】
図４は比較例の蓄電池用屋外盤１００の東西方向に直交する断面図である。
図４において、比較例の蓄電池用屋外盤１００は、上記実施形態の天井ダクト２８、偏向板１１，１２、及び開閉手段５１は備えていない。
空調設備５には、気流の吹出し口に、水平面に対する気流の吹き出し方向を変える気流方向変更（スイング機構）が設けられている。
比較例の蓄電池用屋外盤１００の空調設備５は、冷房運転時、スイング機構によって、気流の吹き出し方向を連続的に変更している。空調設備５からの空気は、図４の白抜き矢印に示すように東西方向から見て、北側のラック１９Ｂの天板と南側のラック１９Ａの天板にまたがる範囲に吹き出されている。
【００３０】
つぎに、冷房時の冷却効果について説明する。
冷却効果の確認試験では、同じ条件下に置かれた本実施形態の蓄電池用屋外盤１と比較例の蓄電池用屋外盤１００に対し、３６℃の夏の日に、空調設備５の作動前（空調前）と、作動後８時間が経過した後（空調後）の温度を、所定の測定ポイントごとに測定した。
図５は冷却効果の確認試験における温度の測定ポイントを示す図である。
以下に説明する測定ポイントＰ１〜Ｐ２０を、図５、図６では、丸で囲んだ数字１〜２０で表している。測定ポイントＰ１〜Ｐ４は、南側上部を測定する測定ポイント、測定ポイントＰ５〜Ｐ８は、南側下部、測定ポイントＰ９〜Ｐ１２は、北側上部、測定ポイントＰ１３〜Ｐ１６は、北側下部、測定ポイントＰ１７、Ｐ１８は、南側の高さ方向の中間（南側中段部）、測定ポイントＰ１９、Ｐ２０は、天井部を測定する測定ポイントである。
【００３１】
図６は比較例、図７は蓄電池用屋外盤１の確認試験の結果を示す。
図６及び図７において、横軸の番号は、測定ポイントの番号であり、また、縦軸は、各測定ポイントでの測定温度である。
比較例では、図４に示すように、空調設備５が上部に設置され、スイングされているため、図６に示すように、ラック１９Ａ，１９Ｂの上部の測定ポイントＰ３、Ｐ４、Ｐ１１、Ｐ１２で、冷却効果を確認できた。これに対し、本第１実施形態では、図７に示すように、南側上部の測定ポイントＰ１〜Ｐ４、南側下部の測定ポイントＰ５〜Ｐ８、並びに北側上部の測定ポイントＰ９〜Ｐ１２において、冷却効果が大きくなることを確認した。
【００３２】
比較例の蓄電池用屋外盤１００では、スイング動作だけでは冷気が隅々まで届かないことに加え、日差しにより熱くなった南側の側壁３１や天井２５の熱が、ラック１９Ａ，１９Ｂに伝わったため、各測定ポイントでの冷却効果が乏しくなった。比較例では、図４に示すように、側壁３１と南に向けられた組電池３の面との間の温度勾配が小さく、両者の間の温度差ΔＴも小さくなる。このため、日差しにより、側壁３１が高温になると、この熱が、組電池３に与える影響も大きくなる。空調設備５からの冷気をラック１９Ａ，１９Ｂの上部に向けているものの、冷気はある程度、蓄電池用屋外盤１００の盤内に分散される。このため、高温となった天井２５の熱が、ラック１９Ａ，１９Ｂに与える影響を効果的に抑制することができない。このため、比較例の蓄電池用屋外盤１００では、冷気の当たるラック１９Ａ，１９Ｂも含めて小さな冷却効果しか得られない。
【００３３】
これに対し、本発明の蓄電池用屋外盤１では、エアーカーテン４１を、南側の側壁３１に沿って形成し、天井に通風路３３を設けたことにより、日差しの熱の影響を抑える効果が十分に発揮されたため、比較例の蓄電池用屋外盤１００に比べて、大きな冷却効果を得られた。すなわち、図７に示すように、南側上部、南側下部、及び北側上部において大きな冷却効果が得られる上、これら各部においては、温度分布の測定ポイントによるばらつきも抑えられ、温度分布が均一化している。
また、北側下部の測定ポイントＰ１３〜Ｐ１６は、他の部位よりも、冷却効果の向上が抑えられているものの、北側下部においても、温度分布の測定ポイントによるばらつきが抑えられ、温度分布が均一化している。
【００３４】
以上説明したように、蓄電池用屋外盤１では、天井２５に空調設備５を設置し、空調設備５からの空気の吐出口３５を蓄電池用屋外盤１の南側上部の幅一杯に位置させている。このため、南側から差し込む日差しの影響を避けられるので、蓄電池用屋外盤１の内部での温度分布を均一に近づけるとともに、冷却効率を向上できる。従って、組電池３を構成する複数の鉛蓄電池１３が、設置場所に関わらず蓄電池用屋外盤１内の空気と均等に熱交換することになり、複数の鉛蓄電池１３の温度分布が、鉛蓄電池１３の設置箇所によらず一様に近づく。これにより、鉛蓄電池１３の蓄電性能を良好に維持し、かつ、蓄電池の寿命が早まることを抑制できる。
さらに、空調設備５を北側に設置し、空調設備５からの空気を天井２５に沿って南側上部に移送する通風路３３を備えているので、天井２５の熱が組電池３に伝わって影響することが抑制される。このため、組電池３の周囲の温度分布が、一層、一様に近づくので、鉛蓄電池１３の蓄電性能を一層良好に保ち、かつ、鉛蓄電池１３の寿命が早まることを一層抑制できる。
【００３５】
さらに、空調設備５は暖房運転が可能であり、暖房用として、空調設備５からの空気の吐出口３７を屋外盤の北側上部の幅一杯に位置させている。暖房運転時には、日差しの熱が伝わりにくい北側に空調設備５からの暖気を吐出口３７から導入することで、日差しによる南北の暖まりやすさの差分を補い、組電池３の周囲の温度を均等に近づけることができる。これにより、鉛蓄電池１３の蓄電性能を良好に維持し、かつ、蓄電池の寿命が早まることを抑制できる。
【００３６】
［第２実施形態］
図８は本発明の第２実施形態に係る蓄電池用屋外盤６０の東西方向に直交する断面図である。なお、図１と同一部分には同一符号を付して示し、その説明を省略する。この蓄電池用屋外盤６０では、南側の上部に空調設備５が設置され、真下に、第１実施形態と同様の吐出口３５が設置されている。
つぎに、冷房時の冷却効果について説明する。
図６は比較例、図９は蓄電池用屋外盤６０の確認試験の結果を示す。
比較例では、上述したように、ラック１９Ａ，１９Ｂの上部の測定ポイントＰ３、Ｐ４、Ｐ１１、Ｐ１２で、冷却効果を確認できた。これに対し、本第２実施形態では、図９に示すように、北側上部の測定ポイントＰ９〜Ｐ１２、北側下部の測定ポイントＰ１３〜Ｐ１６においては、冷却効果があまり高くないものの、特に南側上部の測定ポイントＰ１〜Ｐ４、南側下部の測定ポイントＰ１〜Ｐ４において、冷却効果が大きくなることを確認した。第１実施形態ほどは冷却効果が大きくないものの、比較例との比較では、冷却効果が大きくなることを確認した。
【００３７】
なお、上述した実施形態は、あくまでも本発明の一態様を例示したものであって、本発明の趣旨を逸脱しない範囲で任意に変形、及び応用が可能である。
空調設備５は、冷暖房が可能なものであるとしたが、冷房だけ行うものでもよい。即ち、鉛蓄電池１３を高温下に曝すことなく、温度分布の均一化を図るだけでも、鉛蓄電池１３の蓄電性能を良好に保ち、かつ、鉛蓄電池１３の寿命が早まることを抑制できる。
また、偏向板１１，１２は必ずしも設けなくてもよく、省略してもよい。この場合でも、エアーカーテン４１，４５の形成が妨げられるわけではなく、鉛蓄電池１３の蓄電性能を良好に保ち、かつ、鉛蓄電池１３の寿命の短縮を抑制する効果が大きく損なわれるわけではない。
また、鉛蓄電池１３を収納するラック１９の開口部は、図面上では南北方向に向けて、ラック１９を配置しているが、東西方向に向けてラックを配置してもよい。
また、ラック１９を載置する台座１５は開口を南北に向けて配置した方が好ましいが、東西方向に向けて配置してもよい。
また、組電池３は、鉛蓄電池１３を連結して構成するものとして説明したが、鉛蓄電池１３に限らず、ニッケル・水素二次電池、リチウムイオン二次電池等、他の蓄電池を採用して組電池を構成した場合でも、本発明を適用できる。
【符号の説明】
【００３８】
１、６０、１００  蓄電池用屋外盤
３  組電池
５  空調設備
１１，１２  偏向板
１３  鉛蓄電池（蓄電池）
１４  排気口
１７  床
２５  天井
３１，４３  側壁
３３  通風路
３５，３７，３９  吐出口
４１，４５  エアーカーテン
【図１】
2015032624.tif 000003
【図２】
2015032624.tif 000004
【図３】
2015032624.tif 000005
【図４】
2015032624.tif 000006
【図５】
2015032624.tif 000007
【図６】
2015032624.tif 000008
【図７】
2015032624.tif 000009
【図８】
2015032624.tif 000010
【図９】
2015032624.tif 000011